(57)【要約】【課題】製造コストを低減できるスチームトラップを提供する。【解決手段】スチームトラップ１のスチームトラップ本体２は、トラップ部３と、蒸気導入部４と、排水部５と、排気部６とを備え、前記トラップ部３には、トラップ室３０が形成されており、該トラップ室３０内にベンチュリーノズル１０が配設されている。該ベンチュリーノズル１０の一端は、前記蒸気導入部４から導入された蒸気に接触可能に配されると共に、他端は前記排水部５に配されており、蒸気内の水はベンチュリーノズル１０を通過し、蒸気は、この水に邪魔されてベンチュリーノズル１０を通過することが困難となる。【選択図】図１
2014234868.tif 000002
【特許請求の範囲】
【請求項１】
凝縮水を蒸気から分離するスチームトラップであって、
スチームトラップ本体は、
外部から蒸気が導入される蒸気導入部と、
該蒸気導入部から導入された蒸気に混在している水を捕捉するトラップ部と、
該トラップ部に接続されており、該トラップ部で捕捉された水を外部へ排出する排水部と、
前記トラップ部に接続されており、該トラップ部によって水が除去された残留蒸気を外部へ向けて排出する排気部と
を備え、
前記トラップ部には、ベンチュリーノズルが配設されており、該ベンチュリーノズルの一端が前記蒸気導入部から導入された蒸気に接触可能に配されると共に、他端が前記排水部に配されていることを特徴とするスチームトラップ。
【請求項２】
ベンチュリーノズルの外周面にねじ溝が刻設されており、該ベンチュリーノズルが、トラップ室に設けられたねじ穴に着脱自在に螺着されている
請求項１に記載のスチームトラップ。  
【発明の詳細な説明】
【技術分野】
【０００１】
本発明は、スチームトラップに関するものである。
【背景技術】
【０００２】
従来、生産工場内にあるボイラ等で作られた蒸気を消費する機器の末端には、スチームトラップが取り付けられている。スチームトラップを取り付けることにより、機器内部で生じた凝縮水を蒸気と分離して速やかに外部へ排出することができる。このようなスチームトラップには、機械式と呼ばれる構成が既に開示されている（例えば、特許文献１参照。）。
【０００３】
特許文献１に開示された構成は、金属溶接ベロ―ズが取り付けられ、該溶接ベロ―ズとシリンダで形成される空間内に熱膨脹媒体が密封されている。
【先行技術文献】
【特許文献】
【０００４】
【特許文献１】特開平５−４４８９２号公報
【発明の概要】
【発明が解決しようとする課題】
【０００５】
しかしながら上記従来構成は、可動部を備えているため、長期間にわたる使用により該可動部が劣化し、機能低下が起こりやすいという問題があった。また、１つのスチームトラップについて、固有の圧力と蒸気量等が定まってしまうため、現場ごとに口径、あるいは流量等を考慮しながら最適な仕様の製品を選定し、施工する必要があった。このため、あらかじめ多種類の製品を製造して取り揃えておく必要があり、これに伴い金型が多種多様となって製造コストが高騰しているという問題があった。
【０００６】
そこで、本発明は、耐久性に優れ、しかも現場の状況に合わせて最小限の部品交換で施工することができ、結果的に製造コストが飛躍的に低減されるスチームトラップを提供することを目的とする。
【課題を解決するための手段】
【０００７】
本発明は、凝縮水を蒸気から分離するスチームトラップであって、スチームトラップ本体は、外部から蒸気が導入される蒸気導入部と、該蒸気導入部から導入された蒸気に混在している水を捕捉するトラップ部と、該トラップ部に接続されており、該トラップ部で捕捉された水を外部へ排出する排水部と、前記トラップ部に接続されており、該トラップ部によって水が除去された残留蒸気を外部へ向けて排出する排気部とを備え、前記トラップ部には、ベンチュリーノズルが配設されており、該ベンチュリーノズルの一端が前記蒸気導入部から導入された蒸気に接触可能に配されると共に、他端が前記排水部に配されていることを特徴とするスチームトラップである。
【０００８】
かかる構成にあって、前記ベンチュリーノズルと、水が混在した蒸気とが接触すると、水はベンチュリーノズルを通過し、蒸気は、この水に邪魔されてベンチュリーノズルを通過することが困難となる。そして、水が除去された残留蒸気は、前記排気部を介して外部へ案内される。一方、ベンチュリーノズル内に浸入した水は、蒸気導入部から導入される蒸気の圧力によって下流側へ押し出され、排水部を介して外部へ排出される。なお、該ベンチュリーノズルはスチームトラップ本体に固定されて非可動であるため、長期使用に耐えうる。また、適宜、ベンチュリーノズルは交換可能である。これにより、スチームトラップ本体は交換することなく、口径等の異なるスチームストラップのみを交換するだけで、現場に合わせた最適条件でスチームトラップを取り付けることができる。
【０００９】
また、前記ベンチュリーノズルの外周面にねじ溝が刻設されており、該ベンチュリーノズルが、トラップ室に設けられたねじ穴に着脱自在に螺着されている構成としてもよい。
【００１０】
かかる構成とすることにより、ベンチュリーノズルを迅速かつ容易に交換することができる。
【発明の効果】
【００１１】
本発明のスチームトラップは、可動部がなく耐久性に優れ、しかもベンチュリーノズルを適宜選定することで、現場の状況に合わせながら最適条件で取り付けできる。このため、スチームロスを好適に抑えることができると共に、金型に費やされるコストを減らして製造コストを低減できる優れた効果がある。
【図面の簡単な説明】
【００１２】
【図１】スチームトラップ１の分解斜視図である。
【図２】スチームトラップ１の内部を示す説明図である。
【発明を実施するための形態】
【００１３】
本発明にかかる実施例を、添付図面に従って説明する。
【００１４】
図１に示すように、スチームトラップ１は、蒸気が内部を通過する管材としてのスチームトラップ本体２を備えている。また、該スチームトラップ本体２は、外部から蒸気が導入される筒状の蒸気導入部４を備えている。
【００１５】
また、前記スチームトラップ本体２は、前記蒸気導入部４から導入された蒸気に混在している水を凝縮水として捕捉するトラップ部３を備えている。かかるトラップ部３は、開口部３１を有するトラップ室３０を有し、該トラップ室３０には、ベンチュリーノズル１０が取り付けられている。また、該トラップ部３内には、ガスケット１２が配設され、ノズルタグ１３が取り付けられたエンドキャップ１４によって該開口部３１が遮蔽されている。
【００１６】
また、前記スチームトラップ本体２は、前記トラップ部３に接続された、筒状の排水部５を備えている。かかる排水部５は、前記トラップ部３で捕捉された水を外部へ排出する機能を備えている。
【００１７】
また、前記スチームトラップ本体２は、前記トラップ部３に接続された排気部６を備えている。かかる排気部６は、前記トラップ部３によって水が除去された残留蒸気を外部へ排出する機能を備えている。具体的には、該排気部６内にストレーナー１５、及びガスケット１６が配置され、スチームプラグ１８が取り付けられたストレーナーエンドキャップ１７が該排気部６の端部に取り付けられている。
【００１８】
次に、本発明の要部について説明する。
図２に示すように、前記トラップ室３０内のベンチュリーノズル１０は、その一端が前記蒸気導入部４に臨ませてあり、その他端が排水部５に臨ませてある。これにより、該蒸気導入部４から導入される蒸気がベンチュリーノズル１０に接触すると、蒸気に混在する水はベンチュリーノズル１０の開口１１を通過する。一方、蒸気は、この水に邪魔されてベンチュリーノズル１０の開口１１を通過することが困難となる。そして、水が除去された残留蒸気は、前記排気部６に案内され、該排気部６を介して外部（所定管路）へ排出される。なお、ベンチュリーノズル１０内に浸入した水は、蒸気導入部４から導入される蒸気の圧力によって下流側へ押し出され、排水部５を介して外部へ排出される。
【００１９】
前記ベンチュリーノズル１０の外周面には、ねじ溝が刻設されており、該ベンチュリーノズル１０が、トラップ室３１に設けられたねじ穴３２に着脱自在に螺着される。したがって、該ベンチュリーノズル１０は、開口部３１を介して適宜交換可能である。
【００２０】
前記スチームトラップ本体２は、劣化を抑制することができためＳＵＳ製であることが望ましいが、勿論他の材料であってもよい。
【００２１】
本発明にあっては、上述した実施例に限定されるものではなく、その他の構成についても、本発明の趣旨の範囲内で適宜変更可能である。
【符号の説明】
【００２２】
１    スチームトラップ
２    スチームトラップ本体
３    トラップ部
４    蒸気導入部
５    排水部
６    排気部
１０  ベンチュリーノズル
３０  トラップ室
３２  ねじ穴 
【図１】
2014234868.tif 000003
【図２】
2014234868.tif 000004